(57)【要約】【課題】チャネル推定における遅延や復号チャネル情報の誤り率を改善することができる無線通信システムにおける受信装置およびチャネル推定制御方法を提供する。【解決手段】制御情報信号を多重していない第１リファレンス信号と制御情報信号を多重した第２リファレンス信号とを用いる無線通信システムにおいて、受信器（２００）が、第１リファレンス信号および第２リファレンス信号の両方をチャネル推定に用いるか、あるいは第１リファレンス信号のみをチャネル推定に用いるかを選択するA/N検出選択部（２１１）と、選択されたリファレンス信号を用いてチャネル推定するチャネル推定部（２０９）と、を有する。【選択図】図２
2014141628.tif 000002
【特許請求の範囲】
【請求項１】
制御情報信号を多重していない第１リファレンス信号と制御情報信号を多重した第２リファレンス信号とを用いる無線通信システムにおける受信装置であって、
前記第１リファレンス信号および前記第２リファレンス信号の両方をチャネル推定に用いるか、あるいは前記第１リファレンス信号のみをチャネル推定に用いるかを選択する選択手段と、
選択されたリファレンス信号を用いてチャネル推定するチャネル推定手段と、
を有することを特徴とする受信装置。
【請求項２】
前記選択手段は、前記制御情報信号の受信状態に基づいて前記チャネル推定に用いるリファレンス信号を選択することを特徴とする請求項１に記載の受信装置。
【請求項３】
前記選択手段は、前記制御情報信号の受信レベルを測定し、前記受信レベルと所定閾値との比較結果により前記チャネル推定に用いるリファレンス信号を選択することを特徴とする請求項２に記載の受信装置。
【請求項４】
前記選択手段は、前記制御情報信号の受信状態に基づいて前記チャネル推定に用いるリファレンス信号の数を最適化することを特徴とする請求項２または３に記載の受信装置。
【請求項５】
制御情報信号を多重していない第１リファレンス信号と制御情報信号を多重した第２リファレンス信号とを用いる無線通信システムにおける受信装置のチャネル推定制御方法であって、
選択手段が、前記第１リファレンス信号および前記第２リファレンス信号の両方をチャネル推定に用いるか、あるいは前記第１リファレンス信号のみをチャネル推定に用いるかを選択し、選択されたリファレンス信号を用いてチャネル推定することを特徴とするチャネル推定制御方法。
【請求項６】
前記選択手段は、前記制御情報信号の受信状態に基づいて前記チャネル推定に用いるリファレンス信号を選択することを特徴とする請求項１に記載のチャネル推定制御方法。
【請求項７】
前記選択手段は、前記制御情報信号の受信レベルを測定し、前記受信レベルと所定閾値との比較結果により前記チャネル推定に用いるリファレンス信号を選択することを特徴とする請求項６に記載のチャネル推定制御方法。
【請求項８】
前記選択手段は、前記制御情報信号の受信状態に基づいて前記チャネル推定に用いるリファレンス信号の数を最適化することを特徴とする請求項６または７に記載のチャネル推定制御方法。
【請求項９】
少なくとも１つの送信器と少なくとも１つの受信器とを有する無線通信システムであって、
前記送信器が、制御情報信号を多重していない第１リファレンス信号と制御情報信号を多重した第２リファレンス信号とを用いる送信信号を送信し、
前記受信器が、前記第１リファレンス信号および前記第２リファレンス信号の両方をチャネル推定に用いるか、あるいは前記第１リファレンス信号のみをチャネル推定に用いるかを選択して、選択されたリファレンス信号を用いてチャネル推定する、
ことを特徴とする無線通信システム。
【請求項１０】
制御情報信号を多重していない第１リファレンス信号と制御情報信号を多重した第２リファレンス信号とを用いる無線通信システムにおける受信装置としてコンピュータを昨日焦るプログラムであって、
前記第１リファレンス信号および前記第２リファレンス信号の両方をチャネル推定に用いるか、あるいは前記第１リファレンス信号のみをチャネル推定に用いるかを選択する選択機能と、
選択されたリファレンス信号を用いてチャネル推定するチャネル推定機能と、
を前記コンピュータで実現することを特徴とするプログラム。
【発明の詳細な説明】
【技術分野】
【０００１】
本発明は制御情報信号を多重したリファレンス信号を用いる無線通信システムに係り、特にその受信装置およびチャネル推定制御方法に関する。
【背景技術】
【０００２】
3GPPのE-UTRA（Evolved Universal Terrestrial Radio Access）では、アップリンク制御チャネルPUCCH（Physical Uplink Control Channel）を用いて、制御情報であるACK（Acknowledgement）信号もしくはNACK（Negative Acknowledgement）信号とCQI（Channel Quality Information）信号とを伝送する。以下、便宜上、ACK信号あるいはNACK信号をまとめてA/N信号と略記する。【０００３】
CP（Cyclic Prefix）がnormalモードでPUCCHがformat 2である場合、CQI信号のみ多重される。一方、CPがnormalモードでPUCCHがformat 2aもしくはformat 2bである場合には同一サブフレーム内にCQI信号とA/N信号とが多重される（非特許文献１の5.4.2章を参照）。【０００４】
図１に示すように、A/N信号はスロット内で後半（＝OFDMシンボル番号＃５）のリファレンス信号に割り当てられたOFDMシンボルに多重される。ここでOFDMは直交周波数分割多重（Orthogonal Frequency Division Multiplexing）である。以下、復調用のリファレンス信号はDM-RS（Demodulation Reference Signal）と表記する。【０００５】
図１に示すようにDM-RSとA/N信号とが多重された無線信号を受信する場合、受信器は、リファレンス信号に多重されているA/N信号を検出し、そのA/N信号を除去したリファレンス信号を用いてCQI用チャネル推定を行い、推定されたチャネル特性がCQI信号の復調に用いられる。このA/N検出においてA/N信号の誤検出の影響を小さくするためにACKとNACKの検出基準が異なるA/N検出部を設け、スロット内前半と後半（OFDMシンボル番号＃１と＃５）の受信DM-RSを平均することでノイズを抑圧する無線基地局が提案されている（特許文献１）。
【先行技術文献】
【特許文献】
【０００６】
【特許文献１】特開２０１１−０９７３６４号公報
【非特許文献】
【０００７】
【非特許文献１】3GPP TS 36.211 v8.6.0
【発明の概要】
【発明が解決しようとする課題】
【０００８】
しかしながら、上述した特許文献１では、スロット内前半と後半（OFDMシンボル番号＃１と＃５）の両方の受信DM-RSを演算してACKとNACKの検出基準が異なる２つのA/N検出部を設ける必要があり、構造が複雑化する。【０００９】
さらに、上述した特許文献１では、スロット内前半と後半（OFDMシンボル番号＃１と＃５）の両方の受信DM-RSを演算に用いるために、受信A/N信号が多重されていないスロット内前半の受信DM-RSのみを用いた方が良好なCQI用チャネル推定が得られる場合を検出することができず、全体としてCQI用チャネル推定における遅延やCQI復号情報ビットの誤り率を改善することができない。【００１０】
そこで、本発明の目的はチャネル推定における遅延や復号チャネル情報の誤り率を改善することができる無線通信システムにおける受信装置およびチャネル推定制御方法を提供することにある。
【課題を解決するための手段】
【００１１】
本発明による受信装置は、制御情報信号を多重していない第１リファレンス信号と制御情報信号を多重した第２リファレンス信号とを用いる無線通信システムにおける受信装置であって、前記第１リファレンス信号および前記第２リファレンス信号の両方をチャネル推定に用いるか、あるいは前記第１リファレンス信号のみをチャネル推定に用いるかを選択する選択手段と、選択されたリファレンス信号を用いてチャネル推定するチャネル推定手段と、を有することを特徴とする。
本発明によるチャネル推定制御方法は、制御情報信号を多重していない第１リファレンス信号と制御情報信号を多重した第２リファレンス信号とを用いる無線通信システムにおける受信装置のチャネル推定制御方法であって、選択手段が、前記第１リファレンス信号および前記第２リファレンス信号の両方をチャネル推定に用いるか、あるいは前記第１リファレンス信号のみをチャネル推定に用いるかを選択し、選択されたリファレンス信号を用いてチャネル推定することを特徴とする。
本発明による無線通信システムは、少なくとも１つの送信器と少なくとも１つの受信器とを有する無線通信システムであって、前記送信器が、制御情報信号を多重していない第１リファレンス信号と制御情報信号を多重した第２リファレンス信号とを用いる送信信号を送信し、前記受信器が、前記第１リファレンス信号および前記第２リファレンス信号の両方をチャネル推定に用いるか、あるいは前記第１リファレンス信号のみをチャネル推定に用いるかを選択して、選択されたリファレンス信号を用いてチャネル推定する、ことを特徴とする。
【発明の効果】
【００１２】
本発明によれば、第１リファレンス信号および第２リファレンス信号の両方をチャネル推定に用いるか、あるいは第１リファレンス信号のみをチャネル推定に用いるかを選択することで、チャネル推定における遅延や復号チャネル情報の誤り率を改善することができる。
【図面の簡単な説明】
【００１３】
【図１】図１はスロットのフォーマット図である。
【図２】図２は本発明の一実施形態による受信装置の機能的構成を示すブロック図である。
【図３】図３は本実施形態による制御チャネル受信方法を示すフローチャートである。
【図４】CQI復号情報の誤り確率に関して従来例と本実施形態とを比較したグラフである。
【発明を実施するための形態】
【００１４】
本発明の実施形態によれば、受信A/N信号の受信状態に応じて、受信A/N信号多重なしのスロット内前半と受信A/N信号多重ありのスロット内後半の受信DM-RSのうちから適応的に選択してCQI用チャネル推定値を計算する。より具体的には、受信A/N信号の受信状態の良否に応じて、受信A/N信号多重なしのスロット内前半と受信A/N信号多重ありのスロット内後半の両方の受信DM-RSを用いるか、あるいは受信A/N信号多重なしのスロット内前半の受信DM-RSのみを用いるか、を決定する。これにより、受信A/N信号が多重されていないスロット内前半の受信DM-RSのみを用いてCQI用チャネル推定を行うことが可能となり、CQI用チャネル推定における遅延やCQI復号情報ビットの誤り率を改善することができる。なお、本実施形態では制御情報信号としてA/N信号を例示するが、これに限らずCQI信号等であっても同様に適用可能である。以下、本発明の一実施形態による受信装置および受信方法について図面を参照しながら詳細に説明する。
【００１５】
１．構成
図２に示すように、本発明の一実施形態による無線通信システムは１つの送信器１００と１つの受信器２００を有し、PUCCH format 2aあるいはPUCCH format 2bのように、送信器１００がDM-RS、A/N信号およびCQI信号を多重した時間領域の送信信号（図１参照）を受信器２００に対して送信するものとする。送信器１００から送信された送信信号は、通常、伝搬路などの影響を受けて受信器２００に到達する。
【００１６】
受信器２００は、A/D変換部２０１、FFT(Fast Fourier Transform)部２０２、サブキャリア抽出部２０３、雑音電力推定部２０４、A/N用チャネル推定部２０５、A/N復調部２０６、A/N復号部２０７、A/N変調部２０８、CQI用チャネル推定部２０９、A/N受信状態測定部２１０、A/N検出選択部２１１、CQI復調部２１２およびCQI復号部２１３を有する。
【００１７】
A/D変換部２０１は、伝搬路などの影響を受けた時間領域の受信信号をデジタル信号に変換してFFT部２０２へ出力する。FFT部２０２は、A/D変換部２０１から入力した時間領域の受信信号をFFT処理により周波数領域の受信信号に変換し、変換された周波数領域の受信信号をサブキャリア抽出部２０３へ出力する。
【００１８】
サブキャリア抽出部２０３は、FFT部２０２から入力した周波数領域の受信信号から、受信DM-RS、受信A/N信号および受信CQI信号が多重されたサブキャリアを抽出する。スロット内前半と後半の受信DM-RSは雑音電力推定部２０４およびCQI用チャネル推定部２０９へ出力され、受信A/N信号が多重されていないスロット内前半の受信DM-RS（以下、スロット内前半の受信DM-RSという。）はA/N用チャネル推定部２０５へ出力され、受信A/N信号が多重されたスロット内後半の受信DM-RS（以下、スロット内後半の受信DM-RSという。）はA/N復調部２０６へ出力され、受信CQI信号は雑音電力推定部２０４とCQI復調部２１２へ出力される。
【００１９】
雑音電力推定部２０４は、サブキャリア抽出部２０３から入力した受信DM-RS信号と受信CQI信号から雑音電力σ2を計算し、計算された雑音電力σ2をA/N検出選択部２１１へ出力する。
【００２０】
A/N用チャネル推定部２０５は、サブキャリア抽出部２０３から入力したスロット内前半の受信DM-RSからA/N用チャネル推定値を計算し、計算されたA/N用チャネル推定値をA/N復調部２０６へ出力する。
【００２１】
A/N復調部２０６は、サブキャリア抽出部２０３から入力したスロット内後半の受信DM-RSからDM-RS成分を除去して逆拡散し、A/N用チャネル推定部２０５から入力したA/N用チャネル推定値を用いて伝搬路変動などに起因する信号歪みを補正することでA/N復調信号Xdemを生成する。生成されたA/N復調信号XdemはA/N受信状態測定部２１０およびA/N復号部２０７に出力される。
【００２２】
A/N復号部２０７は、A/N復調部２０６から入力したA/N復調信号Xdemを復号することによりA/N復号情報ビットを生成し、生成したA/N復号情報ビットをA/N変調部２０８へ出力する。
【００２３】
A/N変調部２０８は、A/N復号部２０７から入力したA/N復号情報ビットに対して、PUCCH format 2aの場合はBPSK変調、PUCCH format 2bの場合はQPSK変調を実行し、当該変調によって得られたA/N変調信号をCQI用チャネル推定部２０９へ出力する。ただし、A/N信号の受信状態が劣化した場合には、A/N検出部選択２１１からの制御により受信A/Nが多重されたスロット後半の受信DM-RSに関する処理が省略される。
【００２４】
A/N受信状態測定部２１０は、A/N復調部２０６から入力したA/N復調信号XdemからA/N受信レベルRSSIA/Nを計算しA/N検出選択部２１１へ出力する。
【００２５】
A/N検出選択部２１１は、雑音電力推定部２０４から入力した雑音電力σ2，A/N受信状態測定部２１０から入力したA/N受信レベルRSSIA/Nを用いてスロット内前半および後半の受信DM-RSをどのように選択するかを決定し、その選択信号をCQI用チャネル推定部２０９へ出力する。また、A/N信号の受信状態の劣化が検出された場合には、受信A/Nが多重されたスロット後半の受信DM-RSに関する処理を省略するようにA/N変調部２０８を制御する。
【００２６】
CQI用チャネル推定部２０９は、サブキャリア抽出部２０３からスロット内前半と後半の受信DM-RSを、A/N変調部２０８からA/N変調信号をそれぞれ入力し、A/N検出選択部２１１からの選択信号に従って、スロット内前半と後半の両方の受信DM-RSを用いてCQI用チャネル推定値を計算するか、あるいはスロット内前半の受信DM-RSのみ用いてCQI用チャネル推定値を計算し、計算したCQI用チャネル推定値をCQI復調部２１２へ出力する。
【００２７】
CQI復調部２１２は、サブキャリア抽出部２０３から受信CQI信号を、CQI用チャネル推定部２０９からCQI用チャネル推定値を入力し、受信CQI信号に対してCQI用チャネル推定値を用いて伝搬路変動などによる信号歪みを補正し、逆拡散を施すことにより、CQI復調信号を生成する。生成されたCQI復調信号はCQI復号部２１３へ出力され、CQI復号部２１３が入力されたCQI復調信号を復号することによりCQI復号情報ビットを生成する。
【００２８】
２．動作
次に、図３を参照しながら、本実施形態による受信装置の制御チャネル受信方法についてより具体的に説明する。
【００２９】
図３において、まず、DM-RSとA/N信号とCQI信号が多重された時間領域の送信信号を受信すると、A/D変換部２０１がA/D変換により時間領域の受信信号をデジタル信号に変換し、続いてFFT部２０２が時間領域の受信信号をFFT処理して周波数領域に変換し、サブキャリア抽出部２０３が周波数領域の受信信号から受信DM-RSと受信A/N信号と受信CQI信号を抽出する（動作３０１）。
【００３０】
続いて、雑音電力推定部２０４は、受信DM-RSと受信A/N信号と受信CQI信号を用いて雑音電力σ2を計算し（動作３０２）、A/N検出選択部２１１へ出力する。
【００３１】
A/N用チャネル推定部２０５はスロット内前半の受信DM-RSを用いてA/N用チャネル推定値を計算し、A/N復調部２０６は、スロット内後半の受信DM-RSに対してA/N用チャネル推定値を用いて伝搬路変動などに起因する信号歪みを補正し逆拡散することにより、A/N復調信号Xdemを生成する（動作３０３）。
【００３２】
A/N受信状態測定部２１０は、A/N復調信号Xdemを用いてA/N受信レベルRSSIA/Nを次にように計算する（動作３０４）。
【００３３】
PUCCH format 2aの場合には、A/N受信レベルRSSIA/Nはたとえば次式（１）により計算される。
【００３４】
RSSIA/N＝|real(Xdem)|2  ・・・  (1)
ここで、real( )は括弧内の複素数の実部を抽出することを示す。
【００３５】
PUCCH format 2bの場合には、A/N受信レベルRSSIA/Nは次式（２）もしくは（３）により計算される。
【００３６】
【数１】
2014141628.tif 000003
【００３７】
【数２】
2014141628.tif 000004
ここで、imag( )は括弧内の複素数の虚部を抽出することを示す。計算されたA/N受信レベルRSSIA/NはA/N検出選択部２１１へ出力される。
【００３８】
続いて、A/N検出選択部２１１は雑音電力推定部２０４から入力した雑音電力σ2を用いて次のように検出閾THRdetを計算する（動作３０５）。
【００３９】
上述した式（１）あるいは（２）によってA/N受信レベルRSSIA/Nを計算した場合には、A/N検出選択部２１１は次式（４）により検出閾値THRdetを計算する。
【００４０】
【数３】
2014141628.tif 000005
ここで、thrdet,relはパラメータとして任意の値を与える相対検出閾値[dB]を示す。
【００４１】
一方、式（３）によりA/N受信レベルRSSIA/Nを計算した場合は、次式（５）により検出閾値THRdetを計算する。
【００４２】
【数４】
2014141628.tif 000006
【００４３】
続いて、A/N検出選択部２１１はA/N受信レベルRSSIA/Nと検出閾値THRdetを比較する（動作３０６）。RSSIA/N≧THRdetの場合には（動作３０６；YES）、スロット内後半の受信DM-RSをCQI用チャネル推定値の計算に用いることを示す第１選択信号（スロット内前半および後半の両方の受信DM-RSを選択するための選択信号）をA/N変調部２０８とCQI用チャネル推定部２０９へ通知する。RSSIA/N＜THRdetの場合には（動作３０６；NO）、スロット内後半の受信DM-RSをCQI用チャネル推定値の計算に用いないことを示す第２選択信号（スロット内前半のDM-RSのみを選択するための選択信号）をA/N変調部２０８とCQI用チャネル推定部２０９へ通知する。
【００４４】
A/N復号部２０７はA/N復調信号Xdemを復号してA/N復号情報ビットを生成し、A/N変調部２０８はA/N復号情報ビットを用いてPUCCH format 2aの場合はBPSK変調を用い、PUCCH format 2bの場合はQPSK変調を用いてA/N変調信号を生成する（動作３０７）。ただし、A/N信号の受信状態が劣化した場合には、A/N検出選択部２１１からの制御により受信A/Nが多重されたスロット後半の受信DM-RSに関する処理が省略される。
【００４５】
CQI用チャネル推定部２０９は、スロット内後半の受信DM-RSをCQI用チャネル推定値の計算に用いることが通知された場合（動作３０８）、スロット内前半と後半の両方の受信DM-RSを選択し（動作３０８）、スロット内後半の受信DM-RSから受信A/N信号を除去し（動作３０９）、そしてスロット内前半と後半の両方の受信DM-RSを用いてCQI用チャネル推定値を計算する（動作３１１）。一方、スロット内後半の受信DM-RSをCQI用チャネル推定値の計算に用いないことが通知された場合（動作３１０）、スロット内前半の受信DM-RSのみ用いてCQI用チャネル推定値を計算する（動作３１１）。こうして計算されたCQI用チャネル推定値はCQI復調部２１２へ出力される。
【００４６】
CQI復調部２１２は、サブキャリア抽出部２０３から受信CQI信号を、CQI用チャネル推定部２０９からCQI用チャネル推定値をそれぞれ入力すると、受信CQI信号に対してCQI用チャネル推定値を用いて伝搬路変動などによる信号歪みを補正して逆拡散を施すことによりCQI復調信号を生成してCQI復号部２１３へ出力し、CQI復号部２１３は入力されたCQI復調信号を復号することによりCQI復号情報ビットを生成する（動作３１２）。
【００４７】
３．効果
上述したように、本発明の一実施形態によれば、CQI復号情報ビットの誤り発生を軽減することが可能である。その理由は、CQI用チャネル推定値を生成するためにA/N信号が多重された受信DM-RSを用いるか否かを受信A/N信号の受信状態に応じて決定するので、精度の高いCQI用チャネル推定値を生成することができるからである。
【００４８】
図４に示すように、本実施形態により、PUCCH format 2a受信に関するCQI復号情報ビットの誤り発生が軽減しているのが分かる。図４において、横軸のS/Nは希望信号と雑音成分の電力比率を示し、縦軸のBLERはCQIブロックの誤り確率を示す。また、凡例の「スロット内前半DM-RSのみ利用」は従来のスロット内前半の受信DM-RSを用いてCQI用チャネル推定値を計算することを示し、凡例の「スロット内前半＆後半DM-RSを利用」は従来のスロット内前半と後半の受信DM-RSを用いてCQI用チャネル推定値を計算することを示している。図４から、本実施形態を用いた場合のBLERが最良となることがわかる。
【００４９】
さらに、本実施形態によれば、処理遅延を軽減することが可能である。その理由は、受信A/N信号の受信状態が悪い場合、A/N復号情報ビットに誤りが発生しやすくなるので、A/N変調部２０８およびCQIチャネル推定部２０９において受信A/Nが多重されたスロット後半の受信DM-RSに関する処理が省略されるためである。
【００５０】
４．付記
上述した実施形態の一部あるいは全部は、以下の付記のようにも記載されうるが、これらに限定されるものではない。
（付記１）
制御情報信号を多重していない第１リファレンス信号と制御情報信号を多重した第２リファレンス信号とを用いる無線通信システムにおける受信装置であって、
前記第１リファレンス信号および前記第２リファレンス信号の両方をチャネル推定に用いるか、あるいは前記第１リファレンス信号のみをチャネル推定に用いるかを選択する選択手段と、
選択されたリファレンス信号を用いてチャネル推定するチャネル推定手段と、
を有することを特徴とする受信装置。
（付記２）
前記選択手段は、前記制御情報信号の受信状態に基づいて前記チャネル推定に用いるリファレンス信号を選択することを特徴とする付記１に記載の受信装置。
（付記３）
前記選択手段は、前記制御情報信号の受信レベルを測定し、前記受信レベルと所定閾値との比較結果により前記チャネル推定に用いるリファレンス信号を選択することを特徴とする付記２に記載の受信装置。
（付記４）
前記選択手段は、前記制御情報信号の受信状態に基づいて前記チャネル推定に用いるリファレンス信号の数を最適化することを特徴とする付記２または３に記載の受信装置。
（付記５）
制御情報信号を多重していない第１リファレンス信号と制御情報信号を多重した第２リファレンス信号とを用いる無線通信システムにおける受信装置のチャネル推定制御方法であって、
選択手段が、前記第１リファレンス信号および前記第２リファレンス信号の両方をチャネル推定に用いるか、あるいは前記第１リファレンス信号のみをチャネル推定に用いるかを選択し、選択されたリファレンス信号を用いてチャネル推定することを特徴とするチャネル推定制御方法。
（付記６）
前記選択手段は、前記制御情報信号の受信状態に基づいて前記チャネル推定に用いるリファレンス信号を選択することを特徴とする付記１に記載のチャネル推定制御方法。
（付記７）
前記選択手段は、前記制御情報信号の受信レベルを測定し、前記受信レベルと所定閾値との比較結果により前記チャネル推定に用いるリファレンス信号を選択することを特徴とする付記６に記載のチャネル推定制御方法。
（付記８）
前記選択手段は、前記制御情報信号の受信状態に基づいて前記チャネル推定に用いるリファレンス信号の数を最適化することを特徴とする付記６または７に記載のチャネル推定制御方法。
（付記９）
少なくとも１つの送信器と少なくとも１つの受信器とを有する無線通信システムであって、
前記送信器が、制御情報信号を多重していない第１リファレンス信号と制御情報信号を多重した第２リファレンス信号とを用いる送信信号を送信し、
前記受信器が、前記第１リファレンス信号および前記第２リファレンス信号の両方をチャネル推定に用いるか、あるいは前記第１リファレンス信号のみをチャネル推定に用いるかを選択して、選択されたリファレンス信号を用いてチャネル推定する、
ことを特徴とする無線通信システム。
（付記１０）
前記受信器が、前記制御情報信号の受信状態に基づいて前記チャネル推定に用いるリファレンス信号を選択することを特徴とする付記９に記載の無線通信システム。
（付記１１）
前記受信器が、前記制御情報信号の受信レベルを測定し、前記受信レベルと所定閾値との比較結果により前記チャネル推定に用いるリファレンス信号を選択することを特徴とする付記１０に記載の無線通信システム。
（付記１２）
前記受信器が、前記制御情報信号の受信状態に基づいて前記チャネル推定に用いるリファレンス信号の数を最適化することを特徴とする付記１０または１１に記載の無線通信システム。
（付記１３）
制御情報信号を多重していない第１リファレンス信号と制御情報信号を多重した第２リファレンス信号とを用いる無線通信システムにおける受信装置としてコンピュータを昨日焦るプログラムであって、
前記第１リファレンス信号および前記第２リファレンス信号の両方をチャネル推定に用いるか、あるいは前記第１リファレンス信号のみをチャネル推定に用いるかを選択する選択機能と、
選択されたリファレンス信号を用いてチャネル推定するチャネル推定機能と、
を前記コンピュータで実現することを特徴とするプログラム。
（付記１４）
前記選択機能は前記制御情報信号の受信状態に基づいて前記チャネル推定に用いるリファレンス信号を選択することを特徴とする付記１３に記載のプログラム。
【産業上の利用可能性】
【００５１】
本発明はACK信号あるいはNACK信号が多重されたリファレンス信号を用いたPUCCHの受信方式を有する無線基地局などに適用可能である。
【符号の説明】
【００５２】
１００  送信器
２００  受信器
２０１  A/D変換部
２０２  FFT部
２０３  サブキャリア抽出部
２０４  雑音電力推定部
２０５  A/N用チャネル推定部
２０６  A/N復調部
２０７  A/N復号部
２０８  A/N変調部
２０９  CQI用チャネル推定部
２１０  A/N受信状態測定部
２１１  A/N検出選択部
２１２  CQI復調部
２１３  CQI復号部
【図１】
2014141628.tif 000007
【図２】
2014141628.tif 000008
【図３】
2014141628.tif 000009
【図４】
2014141628.tif 000010
【国際調査報告】
2014141628.tif 000011
2014141628.tif 000012